(57)【要約】【課題】  カバー部材のめくれや外れを確実に防ぐ。【解決手段】  腕時計ケース１とこの腕時計ケース１の下面に取り付けられる裏蓋４との境目に係合凹部８を設けると共に、裏蓋４の下面に配置される裏面カバー６に、腕時計ケース１と裏蓋４との境目の係合凹部８に係合する係合突起部９を形成した。従って、腕時計ケース１の下面に配置された裏蓋４の下面に裏面カバー６を配置するときに、裏面カバー６の係合突起部９を腕時計ケース１と裏蓋４との境目の係合凹部８に係合させることにより、裏面カバー６のめくれや外れを確実に防ぐことができる。この場合、腕時計ケース１と裏蓋４との境目に設けられた係合凹部８と裏面カバー６の係合突起部９とは、めくれ易い個所に部分的に設けられていても良いが、腕時計ケース１の外周面に沿って長く形成されていれば、より一層、裏面カバー６のめくれや外れを確実に防ぐことができる。【選択図】        図３
2005172642.tif 000002
【特許請求の範囲】
【請求項１】
機器ケースと、この機器ケースの下面に取り付けられる裏蓋と、この裏蓋の下面に配置される裏面カバーとを備え、
前記機器ケースと前記裏蓋との境目に凹部を設けると共に、前記裏面カバーに前記凹部に係合する係合部を形成したことを特徴するケース構造。
【請求項２】
前記裏面カバーは、複数のビスによって前記裏蓋と共に前記機器ケースに取り付けられると共に、前記凹部と前記係合部とは、前記複数のビスの間に位置する個所に設けられていることを特徴する請求項１に記載のケース構造。
【請求項３】
機器ケースと、この機器ケースの下面に取り付けられる裏蓋と、この裏蓋の下面に配置される裏面カバーとを備え、
前記機器ケースの側面に係止部を設けると共に、前記裏面カバーに前記係止部に係合する係合部を形成したことを特徴するケース構造。
【請求項４】
前記裏面カバーは、複数のビスによって前記裏蓋と共に前記機器ケースに取り付けられると共に、前記係止部と前記係合部とは、前記複数のビスの間に位置する個所に設けられていることを特徴する請求項３に記載のケース構造。
【請求項５】
前記機器ケースには、前記側面を弾性変形可能にするための中空部が形成されていることを特徴する請求項３または４に記載のケース構造。
【発明の詳細な説明】
【技術分野】
【０００１】
この発明は、腕時計などの機器に用いられるケース構造に関する。
【背景技術】
【０００２】
従来、腕時計においては、腕時計ケースを保護するために、腕時計ケースの上部外周と下部外周とにそれぞれ緩衝カバーを装着し、これら上下の緩衝カバーをプロテクト部材で挟み付けて固定するようにしたものがある。
【０００３】
しかしながら、このような腕時計では、上下の緩衝カバーで腕時計ケースの外周をほぼ完全に覆って保護しているため、運動やスポーツなどをするときに使用する腕時計としては適しているが、デスクワークなどをするときに使用する腕時計としては、デザイン性に欠けるため不向きである。
【０００４】
そこで、このような不都合を解消する腕時計として、腕時計ケースの下部外周側のみに緩衝カバーをビス止めした構造のものがある。しかし、このような構造では、緩衝カバーを腕時計ケースの下部に複数のビスによって取り付けているだけであるから、緩衝カバーの外周部がめくれたり外れたりし易いという問題がある。特に、このような緩衝カバーのめくれや外れは、複数のビスの間に位置する個所で生じ易い。
【特許文献１】特開平９−２４３７６０号
【発明の開示】
【発明が解決しようとする課題】
【０００５】
この発明が解決しようとする課題は、カバー部材のめくれや外れを防ぐことができるケース構造を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図７に示すように、機器ケース（腕時計ケース１）と、この機器ケースの下面に取り付けられる裏蓋（４）と、この裏蓋の下面に配置される裏面カバー（６）とを備え、前記機器ケースと前記裏蓋との境目に凹部（係合凹部８、１２）を設けると共に、前記裏面カバーに前記凹部に係合する係合部（係合突起部１０、１３）を形成したことを特徴するケース構造である。
【０００７】
請求項２に記載の発明は、図１〜図７に示すように、前記裏面カバー（６）が、複数のビス（７）によって前記裏蓋（４）と共に前記機器ケース（腕時計ケース１）に取り付けられると共に、前記凹部（係合凹部８、１２）と前記係合部（係合突起部９、１３）とが、前記複数のビスの間に位置する個所に設けられていることを特徴する請求項１に記載のケース構造である。
【０００８】
請求項３に記載の発明は、図８〜図１０に示すように、機器ケース（腕時計ケース１）と、この機器ケースの下面に取り付けられる裏蓋（４）と、この裏蓋の下面に配置される裏面カバー（６）とを備え、前記機器ケースの側面に係止部（２０）を設けると共に、前記裏面カバー（６）に前記係止部に係合する係合部（２１）を形成したことを特徴するケース構造である。
【０００９】
請求項４に記載の発明は、図８〜図１０に示すように、前記裏面カバー（６）が、複数のビス（７）によって前記裏蓋（４）と共に前記機器ケース（腕時計ケース１）に取り付けられると共に、前記係止部（２０）と前記係合部（２１）とが、前記複数のビスの間に位置する個所に設けられていることを特徴する請求項３に記載のケース構造である。
【００１０】
請求項５に記載の発明は、図８〜図１０に示すように、前記機器ケース（腕時計ケース１）に、前記側面を弾性変形可能にするための中空部（２２）が形成されていることを特徴する請求項３または４に記載のケース構造である。
【発明の効果】
【００１１】
請求項１に記載の発明によれば、機器ケースとこの機器ケースの下面に取り付けられる裏蓋との境目に凹部を設けると共に、裏蓋の下面に配置される裏面カバーに、機器ケースと裏蓋との境目の凹部に係合する係合部を形成したので、機器ケースの下面に配置された裏蓋の下面に裏面カバーを配置するときに、この裏面カバーの係合部を機器ケースと裏蓋との境目の凹部に係合させることにより、裏面カバーのめくれや外れを防ぐことができる。この場合、機器ケースと裏蓋との境目に設けられた凹部と裏面カバーの係合部とは、めくれ易い個所に部分的に設けられていても良いが、機器ケースの外周面に沿って長く形成されていれば、より一層、裏面カバーのめくれや外れを確実に防ぐことができる。
【００１２】
請求項２に記載の発明によれば、裏面カバーが複数のビスによって裏蓋と共に機器ケースに取り付けられると共に、機器ケースと裏蓋との境目の凹部および裏面カバーの係合部が複数のビスの間に位置する個所に設けられていることにより、ビスとビスとの間隔が広くても、裏面カバーのめくれや外れを確実に防ぐことができ、これによりビスの間隔を広くしてビスの個数を最小限に抑えることができる。この場合にも、機器ケースと裏蓋との境目の凹部および裏面カバーの係合部は、複数のビスの間の中間部分のみに部分的に設けられていても良いが、複数のビスの間に機器ケースの外周面に沿って長く形成されていれば、より一層、裏面カバーのめくれや外れを確実に防ぐことができる。
【００１３】
請求項３に記載の発明によれば、下面に裏蓋が取り付けられる機器ケースの側面に係止部を設けると共に、裏蓋の下面に配置される裏面カバーに機器ケースの係止部に係合する係合部を形成したので、機器ケースの下面に配置された裏蓋の下面に裏面カバーを配置するときに、この裏面カバーの係合部を機器ケースの係止部に係合させることにより、裏面カバーのめくれや外れを防ぐことができる。この場合、機器ケースの側面に設けられた係止部と裏面カバーの係合部とは、めくれ易い個所に部分的に設けられていても良いが、機器ケースの外周面に沿って長く形成されていれば、より一層、裏面カバーのめくれや外れを確実に防ぐことができる。
【００１４】
請求項４に記載の発明によれば、裏面カバーが複数のビスによって裏蓋と共に機器ケースに取り付けられると共に、機器ケースの側面の係止部と裏面カバーの係合部とが複数のビスの間に位置する個所に設けられていることにより、請求項２に記載の発明と同様、ビスとビスとの間隔が広くても、これらビス間に位置する裏面カバーのめくれや外れを確実に防ぐことができ、これによりビスの間隔を広くしてビスの個数を最小限に抑えることができる。この場合にも、機器ケースの側面に設けられた係止部と裏面カバーの係合部とは、複数のビスの間の中間部分のみに部分的に設けられていても良いが、複数のビスの間に機器ケースの外周面に沿って長く形成されていれば、より一層、裏面カバーのめくれや外れを確実に防ぐことができる。
【００１５】
請求項５に記載の発明によれば、機器ケースにその側面を弾性変形可能にするための中空部が形成されていることにより、この中空部によって機器ケースの側面にばね性をもたせることができるので、この機器ケースの側面のばね性によって機器ケースの側面方向からの衝撃を吸収することができると共に、機器ケースに形成された中空部によって機器ケース全体の軽量化をも図ることができるほか、特に機器ケースの側面がばね性を有することにより、裏面カバーが硬質材料に限定されず、軟質材料を用いることができるので、裏面カバーの材質の選択しを広げることができる。この場合、機器ケースの側面に形成された係止部が機器ケースに形成された中空部に対応していれば、機器ケースの係止部と裏面カバーの係合部とを容易に係合させることができ、これにより機器ケースの係止部と裏面カバーの係合部との係脱作業性を向上させることができる。
【発明を実施するための最良の形態】
【００１６】
（実施形態１）
以下、図１〜図４を参照して、この発明を腕時計に適用した実施形態１について説明する。
図１はこの発明の腕時計を裏面側から見た要部の斜視図、図２は図１の左側半分を拡大して示した裏面図、図３は図２のＡ−Ａ矢視における拡大断面図、図４は図２のＢ−Ｂ矢視における拡大断面図である。
この腕時計は、図１および図２に示すように、腕時計ケース１を備えている。この腕時計ケース１の上部には、図３に示すように、時計ガラス２が取り付けられており、この腕時計ケース１の内部には、時計モジュール３が設けられている。また、この腕時計ケース１の下面には、裏蓋４が防水リング５を介して配置されている。
【００１７】
さらに、この裏蓋４の下面外周部および腕時計ケース１の下部外周には、図３に示すように、裏面カバー６が配置されている。この裏面カバー６は、合成樹脂からなり、全体がほぼリング形状に形成され、裏蓋４の下面および腕時計ケース１の下部外周に配置された際、裏蓋４の下面中央部が下側に露出するように構成されている。この裏面カバー６は、図２および図４に示すように、複数のビス７によって裏蓋４と共に腕時計ケース１の下面に取り付けられている。この場合、複数のビス７は、図２に示すように、裏面カバー６の１時、５時、７時、１１時の対応する４か所（図２では１時と５時の２か所のみを示す）に設けられている。
【００１８】
これらビス７は、図４に示すように、頭部７ａ、首部７ｂ、およびねじ部７ｃからなり、首部７ｂが頭部７ａよりも小径でねじ部７ｃよりも大径に形成されている。この場合、裏面カバー６には、図４に示すように、ビス７の頭部７ａが挿入する大径の第１挿入孔６ａとビス７の首部７ｂが挿入する小径の第２挿入孔６ｂとが同一軸上に設けられている。また、裏蓋４には、ビス７のねじ部７ｃが挿入する挿入孔４ａが裏面カバー６の第１、第２挿入孔６ａ、６ｂに対応して設けられており、腕時計ケース１の下面には、ビス７のねじ部７ｃが螺入するねじ孔１ａが裏蓋４の挿入孔４ａに対応して設けられている。
【００１９】
これにより、ビス７は、図４に示すように、裏面カバー６の下側から裏面カバー６の第１、第２挿入孔６ａ、６ｂおよび裏蓋４の挿入孔４ａを通してねじ部７ｃを腕時計ケース１のねじ孔１ａに螺入して締め付けると、ビス７の首部７ｂが裏面カバー６の第２挿入孔６ｂに挿入して頭部７ａが裏面カバー６の第１挿入孔６ａに挿入した状態で、裏面カバー６を裏蓋４と共に腕時計ケース１の下面に取り付けるように構成されている。
【００２０】
また、腕時計ケース１と裏蓋４との境目には、図３に示すように、係合凹部８が設けられている。すなわち、この係合凹部８は、腕時計ケース１の下面外周に形成された切欠き部と、この切欠き部の下側を裏蓋４で塞ぐことにより、腕時計ケース１の側方に開放された凹部形状に形成されている。また、裏面カバー６の内周面には、腕時計ケース１の係合凹部８に係合する係合突起部９が裏面カバー６の内側に突出して設けられている。
【００２１】
この場合、腕時計ケース１と裏蓋４との境目の係合凹部８および裏面カバー６の係合突起部９は、複数のビス７間におけるほぼ中間部分、例えば図２に示すように、ほぼ１時とほぼ５時とにそれぞれ対応する各ビス７、７間の中間部分である３時に対応する個所、および図示しないが、ほぼ７時とほぼ１１時とにそれぞれ対応する各ビス７、７間の中間部分である９時に対応する個所にそれぞれ設けられている。なお、裏面カバー６の下面には、図２に示すように、ほぼ楕円形状の装飾凹部１０が裏面カバー６の外周に沿って所定間隔で多数設けられている。
【００２２】
このような腕時計によれば、腕時計ケース１と裏蓋４との境目に係合凹部８を設けると共に、裏蓋４の下面外周部および腕時計ケース１の下部外周に配置される裏面カバー６に、腕時計ケース１の係合凹部８に係合する係合突起部９を形成したので、腕時計ケース１の下面に裏蓋４を配置し、この裏蓋４の下面に裏面カバー６を配置し、この状態で裏面カバー６を裏蓋４と共に腕時計ケース１の下面に複数のビス７によって取り付けるときに、裏面カバー６の係合突起部９を腕時計ケース１と裏蓋４との境目に位置する係合凹部８に係合させることにより、裏面カバー６のめくれや外れを確実に防ぐことができる。
【００２３】
特に、裏面カバー６は複数のビス７によって裏蓋４と共に腕時計ケース１に取り付けられると共に、腕時計ケース１と裏蓋４との境目に位置する係合凹部８と裏面カバー６の係合突起部９とが複数のビス７間における中間部分に位置する個所に設けられているので、ビス７とビス７との間隔が広くても、これらビス７間に位置する裏面カバー６のめくれや外れを確実に防ぐことができる。このため、ビス７の間隔を広くすることによりビス７の個数を最小限に抑えることができ、これにより部品点数を削減することができるので、ビス７による取付作業の簡素化を図ることができると共に、製作コストの低価格化をも図ることができる。
【００２４】
また、この腕時計では、裏面カバー６がほぼリング形状に形成されているので、腕に装着して使用するときに、リング形状の裏面カバー６によって腕が裏蓋４の下面に接触する面積を小さくすることができ、これにより腕の汗を逃がすことができるので、快適に腕に装着して使用することができる。この場合、特に裏面カバー６の下面における外周部に多数の装飾凹部１０が設けられていることにより、この装飾凹部１０によって装飾効果が得られるほかに、この装飾凹部１０によっても快適に使用することができる。
【００２５】
（実施形態２）
次に、図５〜図７を参照して、この発明を腕時計に適用した実施形態２について説明する。なお、図１〜図４に示された実施形態１と同一部分には同一符号を付して説明する。
この腕時計は、腕時計ケース１と裏蓋４との境目に設けられた係合凹部１２と、この係合凹部１２に係合する裏面カバー６の係合突起部１３とを腕時計ケース１の外周に沿って長く形成した構造で、これ以外は実施形態１とほぼ同じ構造になっている。
【００２６】
すなわち、腕時計ケース１と裏蓋４との境目の係合凹部１２は、実施形態１と同様、腕時計ケース１の下面外周に形成された切欠き部と、この切欠き部の下側を裏蓋４で塞ぐことにより、腕時計ケース１の側方に開放された凹部形状に形成されていると共に、図６に示すように、裏面カバー６を裏蓋４と共に腕時計ケース１の下面に取り付けるための複数のビス７間において、腕時計ケース１の外周に沿って細長く形成されている。これに伴って、裏面カバー６の内周面に設けられた係合突起部１３も、図６に示すように、複数のビス７間において、腕時計ケース１の外周に沿って細長く形成されている。
【００２７】
このような腕時計によれば、実施形態１と同様の作用効果があるほか、特に腕時計ケース１と裏蓋４との境目に設けられた係合凹部１２と、裏面カバー６の内周面に設けられて係合凹部１２に係合する係合突起部１３とが、複数のビス７間において、腕時計ケース１の外周に沿って細長く形成されているので、実施形態１のものよりも、より一層、確実に裏面カバー６のめくれや外れを防ぐことができ、これにより良好に使用することができる。
【００２８】
（実施形態３）
次に、図８〜図１０を参照して、この発明を腕時計に適用した実施形態３について説明する。この場合にも、図１〜図４に示された実施形態１と同一部分には同一符号を付して説明する。
この腕時計は、腕時計ケース１の外周面に係止部２０を設け、裏面カバー６に腕時計ケース１の係止部２０に係合する係合部２１を設けると共に、腕時計ケース１の側壁部内に係止部２０を含む腕時計ケース１の外側面部を弾性変形可能にするための中空部２２を設けた構造で、これ以外は実施形態１とほぼ同じ構造になっている。
【００２９】
すなわち、腕時計ケース１の係止部２０は、図８に示すように、裏面カバー６を裏蓋４と共に腕時計ケース１の下面に取り付けるための複数のビス７間におけるほぼ中間部分、つまり３時と９時とに対応する個所（図８では３時側のみを示す）の腕時計ケース１の側面に設けられている。これら係止部２０は、図９に示すように、腕時計ケース１の側面から内部に向けて凹んだ位置にほぼＬ字状に形成されている。すなわち、この係止部２０は、垂下部２０ａの下部に突起部２０ｂを腕時計ケース１の外側に向けてほぼ水平に突出させたフック形状に形成されている。
【００３０】
この場合、係止部２０に対応する腕時計ケース１の側壁部内には、中空部２２が形成されている。この中空部２２は、腕時計ケース１の外周面に沿う方向の長さが係止部２０とほほ同じ長さで、腕時計ケース１の側壁部内の上部から下端に亘って形成されて係止部２０の下側に開放されている。これにより、係止部２０が位置する個所の腕時計ケース１の外側面部は、中空部２２によってばね性を有し、腕時計ケース１の内外に向けて弾性変形するように構成されている。
【００３１】
また、裏面カバー６の係合部２１は、図９に示すように、裏面カバー６の上部に形成され、腕時計ケース１の係止部２０にその外周側の外部から係合するように構成されている。すなわち、この係合部２１は、係止部２０の垂下部２０ａに対応する個所に挿入する突起部２１ａと、係止部２０の突起部２０ｂが挿入する嵌合凹部２１ｂとからなり、係止部２０に係合したときに、係合部２０の外周面と腕時計ケース１の外周面とが相互に連続してほぼ同じ曲面になるように構成されている。
【００３２】
このような腕時計によれば、腕時計ケース１の側面に係止部２０を設けると共に、裏面カバー６に、腕時計ケース１の係止部２０に係合する係合部２１を形成したので、腕時計ケース１の下面に裏蓋４を配置し、この裏蓋４の下面に裏面カバー６を配置し、この状態で裏面カバー６を裏蓋４と共に腕時計ケース１の下面に複数のビス７によって取り付けるときに、裏面カバー６の係合部２１を腕時計ケース１の係止部２０に係合させることにより、実施形態１と同様、裏面カバー６のめくれや外れを確実に防ぐことができる。
【００３３】
この場合にも、裏面カバー６は複数のビス７によって裏蓋４と共に腕時計ケース１に取り付けられると共に、腕時計ケース１の係止部２０と裏面カバー６の係合部２１とが複数のビス７間における中間部分に位置する個所に設けられているので、複数のビス７の間隔が広くても、これらビス７間に位置する個所の裏面カバー６のめくれや外れを確実に防ぐことができる。このため、ビス７の間隔を広くすることにより、ビス７の個数を最小限に抑えることができ、これにより部品点数を削減することができるので、ビス７による取付作業の簡素化を図ることができると共に、製作コストの低価格化をも図ることができる。
【００３４】
また、この腕時計では、腕時計ケース１の側壁部内に中空部２２を形成したことにより、この中空部２２によって腕時計ケース１の側面部にばね性をもたせることができ、これにより腕時計ケース１の外側面を内外に向けて弾性変形させることができるので、腕時計ケース１の側面がその外側からの衝撃を受けても、その衝撃を吸収することができると共に、中空部２２によって腕時計ケース１全体の軽量化をも図ることができる。
【００３５】
特に、腕時計ケース１の側面が弾性変形可能であることにより、裏面カバー６が硬質材料に限定されず、軟質材料で形成することができるので、裏面カバー６の材質の選択しを広げることができる。また、腕時計ケース１の側面に形成された係止部２０が腕時計ケース１の側壁部内に形成された中空部２２に対応していることにより、係止部２０を弾性変形させることができるため、腕時計ケース１の係止部２０と裏面カバー６の係合部２１とを容易に係合させることができ、これにより腕時計ケース１の係止部２０と裏面カバー６の係合部２１との係脱作業性を向上させることができる。
【００３６】
なお、上記実施形態１〜３では、腕時計に適用した場合について述べたが、これに限らず、トラベルウオッチや置時計などの時計にも適用することができるほか、携帯電話機や電子辞書などの携帯端末機、またはＰＤＡ（パーソナル・デジタル・アシスタント）などの電子機器にも広く適用することができる。
【図面の簡単な説明】
【００３７】
【図１】この発明を適用した腕時計を裏面側から見た要部の斜視図である。（実施形態１）
【図２】図１の左側半分を拡大して示した裏面図である。
【図３】図２のＡ−Ａ矢視における拡大断面図である。
【図４】図２のＢ−Ｂ矢視における拡大断面図である。
【図５】この発明を適用した腕時計を裏面側から見た要部の斜視図である。（実施形態２）
【図６】図５の左側半分を拡大して裏面図である。
【図７】図６のＣ−Ｃ矢視における拡大断面図である。
【図８】この発明を適用した腕時計を裏面側から見た３時側半分の拡大裏面図である。（実施形態３）
【図９】図８のＤ−Ｄ矢視における拡大断面図である。
【図１０】図８において裏面カバーおよび裏蓋を取り外した腕時計ケースの要部を示した拡大裏面図である。
【符号の説明】
【００３８】
１  腕時計ケース
２  時計ガラス
３  時計モジュール
４  裏蓋
６  裏面カバー
７  ビス
８、１２  係合凹部
９、１３  係合突起部
２０  係止部
２１  係合部
２２  中空部
【図１】
2005172642.tif 000003
【図２】
2005172642.tif 000004
【図３】
2005172642.tif 000005
【図４】
2005172642.tif 000006
【図５】
2005172642.tif 000007
【図６】
2005172642.tif 000008
【図７】
2005172642.tif 000009
【図８】
2005172642.tif 000010
【図９】
2005172642.tif 000011
【図１０】
2005172642.tif 000012